【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
発光部と、前記発光部からの光を変調することで画面に画像を表示する表示パネルと、を有する画像表示装置であって、
入力画像データの各階調値を前記入力画像データの階調値の下限値より高い第１の階調値以上の階調値に変換して、第１画像データを生成する第１変換手段と、
前記入力画像データおよび前記第１画像データのいずれか一方に基づいて、前記発光部の発光輝度を制御する制御手段と、
前記発光部の発光輝度に基づいて、前記第１画像データを補正して、第２画像データを生成する補正手段と、
前記第２画像データを変換して、前記表示パネルに入力される画像データである第３画像データを生成する第２変換手段と、
を備え、
前記第２変換手段は、前記第２画像データのうち第２の階調値以下の階調値を、前記第２画像データの階調値の下限値に変換する
ことを特徴とする画像表示装置。
【請求項２】
前記第１変換手段は、前記入力画像データの階調値と、前記画面上の輝度に対応する階調値である表示階調値との対応関係である第１対応関係を用いて、前記入力画像データを変換して前記第１画像データを生成する
ことを特徴とする請求項１に記載の画像表示装置。
【請求項３】
前記第１対応関係は、前記入力画像データの階調値の増加に対して表示階調値が非線形に増加する対応関係である
ことを特徴とする請求項２に記載の画像表示装置。
【請求項４】
前記補正手段は、前記発光部の発光輝度に基づく係数を前記第１画像データの各階調値に乗算することにより、前記第２画像データを生成する
ことを特徴とする請求項１〜３のいずれか１項に記載の画像表示装置。
【請求項５】
前記第１の階調値は、前記画像表示装置のコントラスト比の目標値に対応する階調値である
ことを特徴とする請求項１〜４のいずれか１項に記載の画像表示装置。
【請求項６】
前記発光部は、前記画面内の複数の領域にそれぞれ対応する複数の光源を有し、
前記制御手段は、前記複数の光源の発光輝度を個別に制御する
ことを特徴とする請求項１〜５のいずれか１項に記載の画像表示装置。
【請求項７】
前記制御手段は、各光源に対応する前記入力画像データおよび前記第１画像データのいずれか一方の領域の階調値の最大値が高いほど、高い発光輝度で各光源を制御する
ことを特徴とする請求項６に記載の画像表示装置。
【請求項８】
発光部と、前記発光部からの光を変調することで画面に画像を表示する表示パネルと、を有する画像表示装置の制御方法であって、
入力画像データの各階調値を前記入力画像データの階調値の下限値より高い第１の階調値以上の階調値に変換して、第１画像データを生成する第１変換ステップと、
前記入力画像データおよび前記第１画像データのいずれか一方に基づいて、前記発光部の発光輝度を制御する制御ステップと、
前記発光部の発光輝度に基づいて、前記第１画像データを補正して、第２画像データを生成する補正ステップと、
前記第２画像データを変換して、前記表示パネルに入力される画像データである第３画像データを生成する第２変換ステップと、
を有し、
前記第２変換ステップでは、前記第２画像データのうち第２の階調値以下の階調値を、前記第２画像データの階調値の下限値に変換する
ことを特徴とする画像表示装置の制御方法。
【請求項９】
前記第１変換ステップでは、前記入力画像データの階調値と、前記画面上の輝度に対応する階調値である表示階調値との対応関係である第１対応関係を用いて、前記入力画像データを変換して前記第１画像データを生成する
ことを特徴とする請求項８に記載の画像表示装置の制御方法。
【請求項１０】
前記第１対応関係は、前記入力画像データの階調値の増加に対して表示階調値が非線形に増加する対応関係である
ことを特徴とする請求項９に記載の画像表示装置の制御方法。
【請求項１１】
前記補正ステップでは、前記発光部の発光輝度に基づく係数を前記第１画像データの各階調値に乗算することにより、前記第２画像データを生成する
ことを特徴とする請求項８〜１０のいずれか１項に記載の画像表示装置の制御方法。
【請求項１２】
前記第１の階調値は、前記画像表示装置のコントラスト比の目標値に対応する階調値である
ことを特徴とする請求項８〜１１のいずれか１項に記載の画像表示装置の制御方法。
【請求項１３】
前記発光部は、前記画面内の複数の領域にそれぞれ対応する複数の光源を有し、
前記制御ステップでは、前記複数の光源の発光輝度を個別に制御する
ことを特徴とする請求項８〜１２のいずれか１項に記載の画像表示装置の制御方法。
【請求項１４】
前記制御ステップでは、各光源に対応する前記入力画像データおよび前記第１画像データのいずれか一方の領域の階調値の最大値が高いほど、高い発光輝度で各光源を制御することを特徴とする請求項１３に記載の画像表示装置の制御方法。
【請求項１５】
請求項８〜１４のいずれか１項に記載の画像表示装置の制御方法の各ステップをコンピュータに実行させることを特徴とするプログラム。
【手続補正２】
【補正対象書類名】明細書
【補正対象項目名】００１０
【補正方法】変更
【補正の内容】
【００１０】
本発明の第１の態様は、
発光部と、前記発光部からの光を変調することで画面に画像を表示する表示パネルと、を有する画像表示装置であって、
入力画像データの各階調値を前記入力画像データの階調値の下限値より高い第１の階調値以上の階調値に変換して、第１画像データを生成する第１変換手段と、
前記入力画像データおよび前記第１画像データのいずれか一方に基づいて、前記発光部の発光輝度を制御する制御手段と、
前記発光部の発光輝度に基づいて、前記第１画像データを補正して、第２画像データを生成する補正手段と、
前記第２画像データを変換して、前記表示パネルに入力される画像データである第３画像データを生成する第２変換手段と、
を備え、
前記第２変換手段は、前記第２画像データのうち第２の階調値以下の階調値を、前記第２画像データの階調値の下限値に変換する
ことを特徴とする画像表示装置である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の第２の態様は、
発光部と、前記発光部からの光を変調することで画面に画像を表示する表示パネルと、を有する画像表示装置の制御方法であって、
入力画像データの各階調値を前記入力画像データの階調値の下限値より高い第１の階調値以上の階調値に変換して、第１画像データを生成する第１変換ステップと、
前記入力画像データおよび前記第１画像データのいずれか一方に基づいて、前記発光部の発光輝度を制御する制御ステップと、
前記発光部の発光輝度に基づいて、前記第１画像データを補正して、第２画像データを生成する補正ステップと、
前記第２画像データを変換して、前記表示パネルに入力される画像データである第３画像データを生成する第２変換ステップと、
を有し、
前記第２変換ステップでは、前記第２画像データのうち第２の階調値以下の階調値を、前記第２画像データの階調値の下限値に変換する
ことを特徴とする画像表示装置の制御方法である。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の第３の態様は、上述した画像表示装置の制御方法の各ステップをコンピュータに実行させることを特徴とするプログラムである。
【手続補正７】
【補正対象書類名】明細書
【補正対象項目名】００４６
【補正方法】変更
【補正の内容】
【００４６】
例えば、バックライト部１０６が所定の発光輝度で発光している状態において、複数の候補階調値に対応する複数の表示輝度が輝度計を用いて測定されたり、複数の候補階調値に対応する複数の表示色（画面上の色）が測色器を用いて測定されたりする。そして、表示輝度や表示色の測定結果に基づいて複数の候補階調値に対応する複数の透過率が得られ、複数の候補階調値に対応する複数の透過率に基づいて第２の対応関係が決定される。特性が互いに異なる複数の液晶素子を液晶パネル１０５が有する場合には、各液晶素子に対して第２の対応関係が個別に決定されることが好ましい。そして、各液晶素子について、複数の第２の対応関係のうちの１つ（液晶素子に対応する第２の対応関係）が選択され、選択された第２の対応関係に基づいて透過階調値がパネル階調値に変換されることが好ましい。